(57)【要約】      （修正有）【課題】本発明は自動車防塵カバーの収納ボックスを提供する。【解決手段】本体１０を含み、前記本体の中には回転チャンバ３０が設置され、前記回転チャンバの左端壁と前記本体の外側との間にはカバー入り溝２９が連通し設置され、前記回転チャンバの後側端壁の中には前に伸びている第一回転軸３４が回転できるように設置される。本発明の自動車防塵カバーの収納ボックスは感度がよく、操作が簡単であり、快速で便利であり、時間と力を節約する。それと同時に、本発明の装置は簡潔で上品であり、占める空間が小さく、実用性が強い。【選択図】図１
2020147262.tif 000002
【特許請求の範囲】
【請求項１】
本体を含み、前記本体の中には回転チャンバが設置され、前記回転チャンバの左端壁と前記本体の外側との間にはカバー入り溝が連通し設置され、前記回転チャンバの後側端壁の中には前に伸びている第一回転軸が回転できるように設置され、前記第一回転軸には第一プーリと前記第一プーリの前端に位置する円盤とが固定的に設置され、前記円盤の中には前方に開口した第一スライド溝が左右に貫通し設置され、前記第一スライド溝の右端には第一電気磁石が固定的に設置され、前記第一回転軸の前端面にはカバー巻きロッドが固定的に設置され、前記カバー入り溝と前記回転チャンバの前端壁の中には前方に開口した第二スライド溝が連通し設置され、前記第二スライド溝の左右端壁の間にはスライドロッドが固定的に設置され、前記スライドロッドには第一永久磁石がスライドできるように設置され、前記第一永久磁石の前端面には握りハンドルが固定的に設置され、前記第一永久磁石の後側には凹溝が設置され、前記凹溝の中には前記第一永久磁石と引き合う金属ロッドがスライドできるように設置され、前記金属ロッドが後に伸びており、かつ前記第一スライド溝の中でスライドでき、前記回転チャンバの頂壁には第一空きチャンバが設置され、前記第一空きチャンバと前記回転チャンバとの間には連通溝が連通し設置され、前記第一空きチャンバの中には第二回転軸が回転できるように設置され、前記第二回転軸には第二プーリと前記第二プーリの後側に位置する第一傘歯車とが固定的に設置され、前記第二プーリがベルトにより前記第一プーリと伝動できるように連結され、前記第一空きチャンバの左端壁の中には駆動モータが固定的に設置され、前記駆動モータの右端には前記第一空きチャンバの中に挿入される第一主動軸が動力が伝達できるように連結され、前記第一主動軸の末端には前記第一傘歯車と噛合する第二傘歯車が固定的に設置され、前記連通溝の左端壁の中には前記回転チャンバに連通する第三スライド溝が設置され、前記第三スライド溝の頂端には前記駆動モータ、前記第一電気磁石及び第二電気磁石と電気により接続される電気スイッチが固定的に設置され、前記第三スライド溝の中には押圧ロッドがスライドできるように設置され、前記押圧ロッドと前記電気スイッチの底面との間には第一ばねが固定的に連結される；従って、駆動モータが第二プーリを回転連動させ、第二プーリが円盤を回転連動させることを特徴とする自動車防塵カバーの収納ボックス。
【請求項２】
前記駆動モータの左端壁の中には第二空きチャンバが設置され、前記駆動モータの左端には前記第二空きチャンバの中に挿入される第二主動軸が動力が伝達できるように連結され、前記第二主動軸の末端には第三傘歯車が固定的に設置され、前記第二空きチャンバの底壁の中には下方に開口した第三空きチャンバが設置され、前記第三空きチャンバと前記第二空きチャンバとの間にはスプラインスリーブが回転できるように設置され、前記第二空きチャンバの中にある前記スプラインスリーブの末端には前記第三傘歯車と噛合する第四傘歯車が固定的に設置され、前記第三空きチャンバの中にはスライドブロックがスライドできるように設置され、前記スライドブロックの中には下方に開口した第四空きチャンバが設置され、前記第四空きチャンバと前記第三空きチャンバとの間には前記スプラインスリーブと噛合するスプライン軸が回転できるように設置され、前記第三空きチャンバの頂壁には第二電気磁石が左右に対称的に固定的に設置され、前記スライドブロックの頂面には前記第二電気磁石と引き合う第二永久磁石が左右に対称的に固定的に設置され、前記スライドブロックの頂面と前記第三空きチャンバの頂壁との間には第二ばねが固定的に連結され、前記第四空きチャンバの中には第三回転軸が回転できるように設置され、前記第三回転軸には第五傘歯車と前記第五傘歯車の後側に位置する第一ローラとが固定的に設置され、前記第四空きチャンバの中にある前記スプライン軸の末端には前記第五傘歯車と噛合する第六傘歯車が固定的に設置され、前記カバー入り溝の底壁には上方に開口した第五空きチャンバが設置され、前記第五空きチャンバの中には第四回転軸が回転できるように設置され、前記第四回転軸には第二ローラが固定的に設置される；それにより、駆動モータが第一ローラを回転連動させ、第二電気磁石が第二永久磁石を吸着し、第一電気磁石が金属ロッドを吸着することを特徴とする請求項１に記載の自動車防塵カバーの収納ボックス。
【発明の詳細な説明】
【技術分野】
【０００１】
本発明は自動車部品分野を取り上げて、具体的には自動車防塵カバーの収納ボックスである。
【背景技術】
【０００２】
一般的な自動車防塵カバーは大きく、皺が出やすく、折りにくく、人工で折りたたむとき、皺があるため折り畳まれた防塵カバーの体積が大きくなり、占める空間が大きく、収納しにくい；また、防塵カバーの保存空間をできるだけ密封すべき、埃が貯まることを避け、従って、上記問題を解決するために、自動車防塵カバーの収納ボックスを設計する必要がある。
【先行技術文献】
【特許文献】
【０００３】
【特許文献１】中国特許出願公開第106742413号明細書
【発明の概要】
【発明が解決しようとする課題】
【０００４】
本発明の目的は自動車防塵カバーの収納ボックスを提供し、それは上記の現在の技術中の問題を解決できる。
【課題を解決するための手段】
【０００５】
本発明は以下の技術プランを通じて実現する：本発明の自動車防塵カバーの収納ボックスは、本体を含み、前記本体の中には回転チャンバが設置され、前記回転チャンバの左端壁と前記本体の外側との間にはカバー入り溝が連通し設置され、前記回転チャンバの後側端壁の中には前に伸びている第一回転軸が回転できるように設置され、前記第一回転軸には第一プーリと前記第一プーリの前端に位置する円盤とが固定的に設置され、前記円盤の中には前方に開口した第一スライド溝が左右に貫通し設置され、前記第一スライド溝の右端には第一電気磁石が固定的に設置され、前記第一回転軸の前端面にはカバー巻きロッドが固定的に設置され、前記カバー入り溝と前記回転チャンバの前端壁の中には前方に開口した第二スライド溝が連通し設置され、前記第二スライド溝の左右端壁の間にはスライドロッドが固定的に設置され、前記スライドロッドには第一永久磁石がスライドできるように設置され、前記第一永久磁石の前端面には握りハンドルが固定的に設置され、前記第一永久磁石の後側には凹溝が設置され、前記凹溝の中には前記第一永久磁石と引き合う金属ロッドがスライドできるように設置され、前記金属ロッドが後に伸びており、かつ前記第一スライド溝の中でスライドでき、前記回転チャンバの頂壁には第一空きチャンバが設置され、前記第一空きチャンバと前記回転チャンバとの間には連通溝が連通し設置され、前記第一空きチャンバの中には第二回転軸が回転できるように設置され、前記第二回転軸には第二プーリと前記第二プーリの後側に位置する第一傘歯車とが固定的に設置され、前記第二プーリがベルトにより前記第一プーリと伝動できるように連結され、前記第一空きチャンバの左端壁の中には駆動モータが固定的に設置され、前記駆動モータの右端には前記第一空きチャンバの中に挿入される第一主動軸が動力が伝達できるように連結され、前記第一主動軸の末端には前記第一傘歯車と噛合する第二傘歯車が固定的に設置され、前記連通溝の左端壁の中には前記回転チャンバに連通する第三スライド溝が設置され、前記第三スライド溝の頂端には前記駆動モータ、前記第一電気磁石及び第二電気磁石と電気により接続される電気スイッチが固定的に設置され、前記第三スライド溝の中には押圧ロッドがスライドできるように設置され、前記押圧ロッドと前記電気スイッチの底面との間には第一ばねが固定的に連結される。
【０００６】
優選的には、前記駆動モータの左端壁の中には第二空きチャンバが設置され、前記駆動モータの左端には前記第二空きチャンバの中に挿入される第二主動軸が動力が伝達できるように連結され、前記第二主動軸の末端には第三傘歯車が固定的に設置され、前記第二空きチャンバの底壁の中には下方に開口した第三空きチャンバが設置され、前記第三空きチャンバと前記第二空きチャンバとの間にはスプラインスリーブが回転できるように設置され、前記第二空きチャンバの中にある前記スプラインスリーブの末端には前記第三傘歯車と噛合する第四傘歯車が固定的に設置され、前記第三空きチャンバの中にはスライドブロックがスライドできるように設置され、前記スライドブロックの中には下方に開口した第四空きチャンバが設置され、前記第四空きチャンバと前記第三空きチャンバとの間には前記スプラインスリーブと噛合するスプライン軸が回転できるように設置され、前記第三空きチャンバの頂壁には第二電気磁石が左右に対称的に固定的に設置され、前記スライドブロックの頂面には前記第二電気磁石と引き合う第二永久磁石が左右に対称的に固定的に設置され、前記スライドブロックの頂面と前記第三空きチャンバの頂壁との間には第二ばねが固定的に連結され、前記第四空きチャンバの中には第三回転軸が回転できるように設置され、前記第三回転軸には第五傘歯車と前記第五傘歯車の後側に位置する第一ローラとが固定的に設置され、前記第四空きチャンバの中にある前記スプライン軸の末端には前記第五傘歯車と噛合する第六傘歯車が固定的に設置され、前記カバー入り溝の底壁には上方に開口した第五空きチャンバが設置され、前記第五空きチャンバの中には第四回転軸が回転できるように設置され、前記第四回転軸には第二ローラが固定的に設置される。
【発明の効果】
【０００７】
以上により、本発明の自動車防塵カバーの収納ボックスは感度がよく、操作が簡単であり、快速で便利であり、時間と力を節約する；それと同時に、本発明の装置は簡潔で上品であり、占める空間が小さく、実用性が強い。
【図面の簡単な説明】
【０００８】
説明しやすいため、本発明は以下の具体的な実施例と付図を交え詳しく説明する。
【０００９】
【図１】図１は本発明の自動車防塵カバーの収納ボックスの全体構成略図である；
【図２】図２は図１のＡ−Ａの構成略図である；
【図３】図３は図１のＢの拡大構成略図である；
【図４】図４は図１のＣの拡大構成略図である。
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−４に示すように、本発明の自動車防塵カバーの収納ボックスは、本体１０を含み、前記本体１０の中には回転チャンバ３０が設置され、前記回転チャンバ３０の左端壁と前記本体１０の外側との間にはカバー入り溝２９が連通し設置され、前記回転チャンバ３０の後側端壁の中には前に伸びている第一回転軸３４が回転できるように設置され、前記第一回転軸３４には第一プーリ５７と前記第一プーリ５７の前端に位置する円盤３５とが固定的に設置され、前記円盤３５の中には前方に開口した第一スライド溝３１が左右に貫通し設置され、前記第一スライド溝３１の右端には第一電気磁石３３が固定的に設置され、前記第一回転軸３４の前端面にはカバー巻きロッド３２が固定的に設置され、前記カバー入り溝２９と前記回転チャンバ３０の前端壁の中には前方に開口した第二スライド溝５２が連通し設置され、前記第二スライド溝５２の左右端壁の間にはスライドロッド５４が固定的に設置され、前記スライドロッド５４には第一永久磁石５５がスライドできるように設置され、前記第一永久磁石５５の前端面には握りハンドル５１が固定的に設置され、前記第一永久磁石５５の後側には凹溝５６が設置され、前記凹溝５６の中には前記第一永久磁石５５と引き合う金属ロッド２８がスライドできるように設置され、前記金属ロッド２８が後に伸びており、かつ前記第一スライド溝３１の中でスライドでき、前記回転チャンバ３０の頂壁には第一空きチャンバ４４が設置され、前記第一空きチャンバ４４と前記回転チャンバ３０との間には連通溝４０が連通し設置され、前記第一空きチャンバ４４の中には第二回転軸４３が回転できるように設置され、前記第二回転軸４３には第二プーリ４２と前記第二プーリ４２の後側に位置する第一傘歯車４５とが固定的に設置され、前記第二プーリ４２がベルト４１により前記第一プーリ５７と伝動できるように連結され、前記第一空きチャンバ４４の左端壁の中には駆動モータ４８が固定的に設置され、前記駆動モータ４８の右端には前記第一空きチャンバ４４の中に挿入される第一主動軸４７が動力が伝達できるように連結され、前記第一主動軸４７の末端には前記第一傘歯車４５と噛合する第二傘歯車４６が固定的に設置され、前記連通溝４０の左端壁の中には前記回転チャンバ３０に連通する第三スライド溝３８が設置され、前記第三スライド溝３８の頂端には前記駆動モータ４８、前記第一電気磁石３３及び第二電気磁石１５と電気により接続される電気スイッチ３９が固定的に設置され、前記第三スライド溝３８の中には押圧ロッド３６がスライドできるように設置され、前記押圧ロッド３６と前記電気スイッチ３９の底面との間には第一ばね３７が固定的に連結される。
【００１３】
有益的には、前記駆動モータ４８の左端壁の中には第二空きチャンバ１１が設置され、前記駆動モータ４８の左端には前記第二空きチャンバ１１の中に挿入される第二主動軸４９が動力が伝達できるように連結され、前記第二主動軸４９の末端には第三傘歯車５０が固定的に設置され、前記第二空きチャンバ１１の底壁の中には下方に開口した第三空きチャンバ１７が設置され、前記第三空きチャンバ１７と前記第二空きチャンバ１１との間にはスプラインスリーブ１３が回転できるように設置され、前記第二空きチャンバ１１の中にある前記スプラインスリーブ１３の末端には前記第三傘歯車５０と噛合する第四傘歯車１２が固定的に設置され、前記第三空きチャンバ１７の中にはスライドブロック１９がスライドできるように設置され、前記スライドブロック１９の中には下方に開口した第四空きチャンバ２０が設置され、前記第四空きチャンバ２０と前記第三空きチャンバ１７との間には前記スプラインスリーブ１３と噛合するスプライン軸１４が回転できるように設置され、前記第三空きチャンバ１７の頂壁には第二電気磁石１５が左右に対称的に固定的に設置され、前記スライドブロック１９の頂面には前記第二電気磁石１５と引き合う第二永久磁石１８が左右に対称的に固定的に設置され、前記スライドブロック１９の頂面と前記第三空きチャンバ１７の頂壁との間には第二ばね１６が固定的に連結され、前記第四空きチャンバ２０の中には第三回転軸２３が回転できるように設置され、前記第三回転軸２３には第五傘歯車２２と前記第五傘歯車２２の後側に位置する第一ローラ２７とが固定的に設置され、前記第四空きチャンバ２０の中にある前記スプライン軸１４の末端には前記第五傘歯車２２と噛合する第六傘歯車２１が固定的に設置され、前記カバー入り溝２９の底壁には上方に開口した第五空きチャンバ２４が設置され、前記第五空きチャンバ２４の中には第四回転軸２６が回転できるように設置され、前記第四回転軸２６には第二ローラ２５が固定的に設置される。
【００１４】
下記に、図１−４と上記記述した本出願の自動車防塵カバーの収納ボックスの具体的な構成を参考し、その使用方法を詳しく紹介する：
【００１５】
まず、初期状態に、第一ローラ２７と第二ローラ２５とが互いに近接し接触する；
【００１６】
防塵カバーを収納するとき、防塵カバーの一つの角を金属ロッド２８に掛け、握りハンドル５１を右にプッシュし、握りハンドル５１が第二スライド溝５２を駆動し右にスライドさせ、第二スライド溝５２が金属ロッド２８を駆動し右にスライドさせて第一電気磁石３３と引き合わせ、第一電気磁石３３が金属ロッド２８を吸引して第一スライド溝３１の右端に固定する；
【００１７】
握りハンドル５１を第二スライド溝５２の左端まで引き戻し、駆動モータ４８を始動し、駆動モータ４８が第一主動軸４７と第二主動軸４９を回転連動させ、第一主動軸４７が第二傘歯車４６を回転連動させ、第二傘歯車４６が第一傘歯車４５とベルト４１とを回転連動させ、ベルト４１が第一プーリ５７と円盤３５とを回転連動させ、円盤３５が金属ロッド２８を回転連動させ、金属ロッド２８が防塵カバーを駆動しカバー巻きロッド３２を中心に回転させ、防塵カバーが徐々にカバー巻きロッド３２と金属ロッド２８に巻きつく；
【００１８】
それと同時に、第二主動軸４９が第三傘歯車５０を回転連動させ、第三傘歯車５０が第四傘歯車１２を回転連動させ、第四傘歯車１２が第六傘歯車２１を回転連動させ、第六傘歯車２１が第五傘歯車２２と第一ローラ２７とを回転連動させ、第一ローラ２７が回転し防塵カバーの皺を伸ばす；
【００１９】
防塵カバーが一定的な長さを巻いた後、回転チャンバ３０の中に位置する巻かれた防塵カバーが押圧ロッド３６を押し、押圧ロッド３６が上にスライドし電気スイッチ３９を押圧し、電気スイッチ３９が駆動モータ４８、第二電気磁石１５及び第一電気磁石３３を停電させ、円盤３５が回転を停止し、防塵カバーが巻かなくなり、それと同時に、スライドブロック１９が下にスライドし第一ローラ２７と第二ローラ２５とを貼り付けさせ、カバー入り溝２９の中にある防塵カバーは末端が押され、また一部分が本体１０の外側に残っている；
【００２０】
防塵カバーを使用するとき、装置に通電し、防塵カバーの末端を引き防塵カバーを引き出し、そして握りハンドル５１をプッシュし右にスライドさせ第一永久磁石５５に金属ロッド２８を吸引させ、握りハンドル５１を元の位置に引き、装置が初期状態に戻る。
【００２１】
以上により、本発明の自動車防塵カバーの収納ボックスは感度がよく、操作が簡単であり、快速で便利であり、時間と力を節約する；それと同時に、本発明の装置は簡潔で上品であり、占める空間が小さく、実用性が強い。
【００２２】
以上に述べたのはただ本実用新型のより良い実施例で、本実用新型を限定することに使わないである。本実用新型の意義と原則のもとで行う全ての修正、同等の入れ替えと改善などは本実用新型の保護範囲に含まれる。
【図１】
2020147262.tif 000003
【図２】
2020147262.tif 000004
【図３】
2020147262.tif 000005
【図４】
2020147262.tif 000006